(57)【要約】      （修正有）【課題】ガラス障子をスムーズに開閉させることができる開閉装置を提供する。【解決手段】閉鎖状態において第１ガラス障子８と同一平面上に配置される第２ガラス障子９のハンガ１２にアーム１３ａ，１３ｂの一端部を回動自在に連結し、アームの他端部を第２ガイド溝６に沿って移動可能なランナ１４に回動自在に連結する。各アームの一端部にガイドピン２０を突設し、戸当り側アーム１３ａのガイドピンを一端部が第２ガイド溝に臨み、他端部が第３ガイド溝に臨む傾斜ガイド溝２２内に挿入する。上枠に形成されたガイド孔２３内にレバー２４を挿入し、そのレバーの揺動により開閉操作機構３０を作動させて召合わせ側アーム１３ｂの一端部を屋外側に向けて揺動させ、ガイドピンが第３ガイド溝に臨む状態で第２ガラス障子を第１ガラス障子に向けて移動させて、第１ガラス障子と第２ガラス障子を前後に位置をずらし、各ガラス障子を開閉可能とする。【選択図】図３
2006045930.tif 000002
【特許請求の範囲】
【請求項１】
窓枠の上枠と下枠間の屋外側にはめ殺しのガラス板を設け、前記上枠の下方に、その上枠に平行に設けられたハンガレールには両端方向に長く延びる第１ガイド溝と、その第１ガイド溝の上側に第２ガイド溝と、その第２ガイド溝の後側に第３ガイド溝とを平行に設け、前記ガラス板の屋内側には閉鎖状態において同一平面上に配置される２枚のガラス障子を配置し、一方のガラス障子を前記第１ガイド溝に沿って移動可能に支持し、他方のガラス障子の上部には召合わせ側の端部と戸当り側の端部とにハンガを固定し、各ハンガのそれぞれにアームの一端部を回動自在に連結し、各アームの他端部を前記第２ガイド溝に沿って移動可能なランナに回動自在に連結し、各アームの一端部上にガイドピンを突設し、前記戸当り側アームのガイドピンを前記第２ガイド溝と第３ガイド溝間に渡る傾斜ガイド溝内にスライド自在に挿入し、前記ハンガレールには召合わせ側のアームの一端部に設けられたガイドピンと対応する位置に両端方向に長いガイド孔を形成し、そのガイド孔内に挿入されるレバーの揺動操作によって召合わせ側アームを、その一端部のガイドピンが第２ガイド溝に臨む位置から第３ガイド溝に臨む位置まで揺動させる開閉操作手段を設けた二重窓における屋内側ガラス障子の開閉装置。
【請求項２】
前記開閉操作手段が、レバーによって回動操作される回転部材と、その回転部材の回転運動を召合わせ側アームの揺動運動に変換する運動変換機構とから成る請求項１に記載の二重窓における屋内側ガラス障子の開閉装置。
【請求項３】
前記運動変換機構が、第２ガイド溝と第３ガイド溝との間で移動可能とされ、前記召合わせ側アームのガイドピンが挿入される挿入溝を下面に有するスライドピースにリンクの一端部を一体化し、リンクの他端部を前記回転部材の外周部に回転自在に連結した構成から成る請求項２に記載の二重窓における屋内側ガラス障子の開閉装置。
【発明の詳細な説明】
【技術分野】
【０００１】
この発明は、二重窓における屋内側ガラス障子の開閉装置に関するものである。
【背景技術】
【０００２】
窓枠の屋内側にはめ殺しのガラス板を設け、そのガラス板の屋内側に２枚の開放可能なガラス障子を設けた二重窓においては、断熱性および遮音性に優れ、一般住宅をはじめとして高層建築物にも広く採用されている。
【０００３】
このような二重窓においては、普通、屋内側の２枚のガラス障子を引き違い可能に支持し、あるいは、上記２枚のガラス障子を回転可能に支持し、各ガラス障子の開放によってはめ殺しのガラス板の内面を清掃し得るようにしている。
【発明の開示】
【発明が解決しようとする課題】
【０００４】
ところで、屋内側２枚のガラス障子を引き違い可能に支持した二重窓においては、その２枚のガラス障子を予め前後に位置をずらしてスライド可能に支持する必要があるため、２枚のガラス障子の閉鎖状態で相互に前後に段差が生じ、体裁が良いとは言えない。
【０００５】
一方、２枚のガラス障子を回転可能に支持した二重窓においては、各ガラス障子を閉鎖したとき、その２枚のガラス障子は同一の平面上に配置されるため、体裁が良好であるが、各ガラス障子を屋内側に向けて開放する必要があるため、二重窓の屋内側にガラス障子を開放可能とするスペースを確保しなければならず、部屋の有効利用に欠けるという不都合がある。
【０００６】
この発明の課題は、体裁の良好な閉鎖状態が得られると共に、屋内側にガラス障子を開閉可能とするスペースを確保する必要がなく、しかも、ガラス障子の重量が重い場合でも容易に開閉操作することができるようにした二重窓における屋内側ガラス障子の開閉装置を提供することである。
【課題を解決するための手段】
【０００７】
上記の課題を解決するために、この発明においては、窓枠の上枠と下枠間の屋外側にはめ殺しのガラス板を設け、前記上枠の下方に、その上枠に平行に設けられたハンガレールには両端方向に長く延びる第１ガイド溝と、その第１ガイド溝の上側に第２ガイド溝と、その第２ガイド溝の後側に第３ガイド溝とを平行に設け、前記ガラス板の屋内側には閉鎖状態において同一平面上に配置される２枚のガラス障子を配置し、一方のガラス障子を前記第１ガイド溝に沿って移動可能に支持し、他方のガラス障子の上部には召合わせ側の端部と戸当り側の端部とにハンガを固定し、各ハンガのそれぞれにアームの一端部を回動自在に連結し、各アームの他端部を前記第２ガイド溝に沿って移動可能なランナに回動自在に連結し、各アームの一端部上にガイドピンを突設し、前記戸当り側アームのガイドピンを前記第２ガイド溝と第３ガイド溝間に渡る傾斜ガイド溝内にスライド自在に挿入し、前記ハンガレールには召合わせ側のアームの一端部に設けられたガイドピンと対応する位置に両端方向に長いガイド孔を形成し、そのガイド孔内に挿入されるレバーの揺動操作によって召合わせ側アームを、その一端部のガイドピンが第２ガイド溝に臨む位置から第３ガイド溝に臨む位置まで揺動させる開閉操作手段を設けた構成を採用したのである。
【０００８】
ここで、開閉操作手段として、レバーによって回動操作される回転部材と、その回転部材の回転運動を召合わせ側アームの揺動運動に変換する運動変換機構とから成るものを採用することができる。
【０００９】
また、前記運動変換機構として、第２ガイド溝と第３ガイド溝との間で移動可能とされ、前記召合わせ側アームのガイドピンが挿入される挿入溝を下面に有するスライドピースにリンクの一端部を一体化し、リンクの他端部を前記回転部材の外周部に回転自在に連結した構成から成るものを採用することができる。
【発明の効果】
【００１０】
上記の構成から成る発明においては、２枚のガラス閉鎖状態において、その２枚のガラス障子は同一平面上に配置されるため、体裁の良好な閉鎖状態を得ることができる。また、他方のガラス障子の召合わせ側端部を屋外側に移動させることによって、その他方のガラス障子を第２ガイド溝に沿って移動させることができると共に、一方のガラス障子を第１ガイド溝に沿って移動させることができるため、屋内側にガラス障子の開閉用スペースを確保する必要がなく、部屋の有効利用を図ることができる。
【００１１】
さらに、上枠に形成されたガイド孔にレバーを挿入し、そのレバーを揺動させることにより他方のガラス障子の召合わせ側端部を吊下げ支持するアームが屋外側に向けて揺動して、前記召合わせ側端部が屋外側に移動するため、大型で重量のあるガラス障子であってもガラス障子を比較的小さな操作力によってスムーズに開放させることができると共に、その開放初期に他方のガラス障子の下端部が屋外側に振れるという不都合の発生はなく、他方のガラス障子を安全に開放させることができる。
【００１２】
また、他方のガラス障子の召合わせ側端部のみを屋外側に向けて移動させてから、他方のガラス障子を開放させるようにしたので、２枚のガラス障子の閉鎖状態において、召合わせ側端部間に極く僅かな隙間を設けるだけでよく、密閉性の良好な窓を得ることができる。
【発明を実施するための最良の形態】
【００１３】
以下、この発明の実施の形態を図面に基づいて説明する。図１乃至図３に示すように、窓枠１は、上枠１ａおよび下枠１ｂを有し、その両枠１ａ、１ｂ間の屋外側にははめ殺しによってガラス板２が設けられている。
【００１４】
上枠１ａの下方には、前記ガラス板２の屋内側にハンガレール３が設けられている。ハンガレール３はブラケット４を介して前記上枠１ａに連結されている。
【００１５】
ハンガレール３は角筒状前枠３ａの上側に支持板３ｂを一体に設けており、前記前枠３ａの背面にはハンガレール３の両端方向に向けて長く延びる第１ガイド溝５が設けられている。一方、支持板３ｂの下面には、前記第１ガイド溝５に平行する第２ガイド溝６と、その第２ガイド溝６の後方に第３ガイド溝７が設けられている。
【００１６】
図１に示すように、ハンガレール３と下枠１ｂ間には第１ガラス障子８と第２ガラス障子９が設けられている。２枚のガラス障子８、９は閉鎖状態において同一平面上に位置する配置とされている。
【００１７】
図１および図２に示すように、第１ガラス障子８の上部には複数のハンガ１０が固定され、各ハンガ１０の上部に前記第１ガイド溝５に沿って転動可能なガイドローラ１１が支持されている。このため、第１ガラス障子８は吊下げ支持された状態で第１ガイド溝５に沿って移動し得るようになっている。
【００１８】
図３に示すように、第２ガラス障子９の上部には戸当り側端部と召合わせ側端部とにハンガ１２が取付けられている。各ハンガ１２の上部にはアーム１３ａ、１３ｂの一端部が回動自在に連結され、各アーム１３ａ、１３ｂの他端部は第２ガイド溝６に沿って移動可能なランナ１４に回動自在に連結されている。ランナ１４は第２ガイド溝６に沿って転動可能な複数のガイドローラ１５を有している。
【００１９】
ランナ１４の下面には支持突起１６が設けられ、その支持突起１６の一側に複数のローラ１７が回転自在に支持されている。一方、アーム１３ａ、１３ｂの他端部には第２ガラス障子９の閉鎖状態において前記支持突起１６が嵌合可能な切欠部１８が形成され、その切欠部１８の一側に前記ローラ１７と上下で対向する突片１９が設けられている。
【００２０】
突片１９は第２ガラス障子９が重量物の場合、ローラ１７で支持されて第２ガラス障子９の重量を支持するようになっている。
【００２１】
図３および図５に示すように、戸当り側のアーム１３ａおよび召合わせ側のアーム１３ｂのそれぞれ一端部上面にはガイドピン２０が突設されている。
【００２２】
戸当り側アーム１３ａに設けられたガイドピン２０は、ハンガレール３の支持板３ｂの下面に固定されたガイドブロック２１の下面の傾斜ガイド溝２２内に挿入されている。図４に示すように、傾斜ガイド溝２２は第２ガイド溝６と第３ガイド溝７に渡り、ガイドピン２０を第２ガイド溝６に臨む位置から第３ガイド溝７に誘導するようになっている。
【００２３】
図３および図５に示すように、ハンガレール３の前枠３ａには、召合わせ側アーム１３ｂの一端部に突設されたガイドピン２０と対応する位置に左右方向に長いガイド孔２３が形成され、そのガイド孔２３に対してレバー２４が抜き差し自在とされている。
【００２４】
図４および図５に示すように、ハンガレール３の前枠３ａにおける背面板３ｃ、第２ガイド溝６および第３ガイド溝７は前記ガイド孔２３と対応する位置において長さ方向に分割され、その分割部間に嵌合したベースプレート２５は支持板３ｂの下面に取付けられている。
【００２５】
ベースプレート２５の下面には、第３ガイド溝７の分割端と対向する位置に、ガイドピン２０を第３ガイド溝７に誘導するピンガイド２６が固定されている。また、ベースプレート２５には、ガイド孔２３に挿入されるレバー２４の揺動操作により召合わせ側アーム１３ｂの一端部に設けられたガイドピン２０が第３ガイド溝７と対応する位置まで召合わせ側アーム１３ｂを揺動させる開閉操作機構３０が支持されている。
【００２６】
図５乃至図８に示すように、開閉操作機構３０はベースプレート２５に支持されたピン３１を中心として回転可能な回転部材３２の下面に前記レバー２４の先端部が挿入される係合溝３３を設け、その係合溝３３に挿入されるレバー２４の揺動によって回転部材３２を回転させ、その回転運動を運動変換機構３４を介して召合わせ側アーム１３ｂの揺動運動に変換するようにしている。
【００２７】
運動変換機構３４は、ベースプレート２５に第２ガイド溝６および第３ガイド溝７に対して直交方向に長く延びる長孔３５を形成し、その長孔３５に沿ってスライド可能なピン３６を上面に有するスライドピース３７の下面にガイドピン２０が挿入される挿入溝３８を設け、前記スライドピース３７にリンク３９の一端部を一体化し、そのリンク３９の他端部を回転部材３２に設けられた連結片４０にピン４１を介して回動自在に連結している。
【００２８】
図１および図２に示すように、下枠１ｂ上には第１ガラス障子８および第２ガラス障子９を閉鎖状態に保持するロック金具５０が取付けられている。
【００２９】
ここで、ロック金具５０はその詳細を図では省略したが、下枠１ｂに取付けられたボックス５１に回転軸５２を設け、その回転軸５２の回転によって第１ガラス障子８と第２ガラス障子９の召合わせ側背面に跨がって設けられた振れ止め片５３を前後動させ、後退停止位置に保持される振れ止め片５３によって第２ガラス障子９の召合わせ側端部が屋外側に向けて移動するのを防止するようにしている。
【００３０】
実施の形態で示す屋内側ガラス障子の開閉装置は上記の構造から成り、第１ガラス障子８および第２ガラス障子９の開放に際しては、図２に示すロック金具５０の振れ止め片５３を前進させて同図の鎖線（イ）で示す位置に保持したのち、図５に示すように、ガイド孔２３にレバー２４を挿入し、そのレバー２４の先端部を回転部材３２の係合溝３３に係合させた状態で、レバー２４をガイド溝２３に沿って同図の矢印方向に揺動させる。
【００３１】
上記レバー２４の揺動操作によって、回転部材３２はピン３１を中心に回転し、その回転部材３２の回転によってスライドピース３７が長孔３５に沿って移動しつつピン３６を中心に回転する。
【００３２】
このとき、スライドピース３７の挿入溝３８に召合わせ側アーム１３ｂの一端部に設けられたガイドピン２０が挿入されているため、スライドピース３７が長孔３５に沿って移動することにより、召合わせ側アーム１３ｂがランナ１４に対する連結部を中心に揺動する。アーム１３ｂの揺動によって第２ガラス障子９の召合わせ側端部が屋外側に向けて移動して第１ガラス障子８の召合わせ側端部に対し前後方向に位置がずれ、第２ガラス障子９は傾斜状態とされる。
【００３３】
長孔３５の端部にピン３６が当接すると、スライドピース３７は停止状態に保持され、そのスライドピース３７に設けられた挿入溝３８は図７（II）および図８に示すように、ピンガイド２６と対向する。
【００３４】
そこで、第２ガラス障子９を第１ガラス障子８に向けて引くと、召合わせ側アーム１３ｂのガイドピン２０が第３ガイド溝７に沿って移動すると共に、戸当り側アーム１３ａのガイドピン２０が図３および図４に示すガイドブロック２１の傾斜ガイド溝２２に沿って移動して、その傾斜ガイド溝２２から第３ガイド溝７内に侵入する。
【００３５】
このため、第２ガラス障子９は第１ガラス障子８に対して前後に位置がずれると共に、平行する状態に保持されることになり、その結果、第１ガラス障子８を第１ガイド溝５に沿って移動させることができると共に、第２ガラス障子９を第２ガイド溝６に沿って移動させることができ、各ガラス障子８、９を開放させることができる。
【００３６】
第２ガラス障子９の閉鎖に際しては、第１ガラス障子８を第１ガイド溝５に沿って移動させて閉鎖状態としたのち、第２ガラス障子９を第２ガイド溝６に沿って閉鎖位置に向けて移動させる。
【００３７】
第２ガラス障子９が閉鎖位置近くまで移動すると、戸当り側アーム１３ａのガイドピン２０がガイドブロック２１の傾斜ガイド溝２２内に沿って移動し、そのガイドピン２０の移動によって戸当り側アーム１３ａはランナ１４に対する連結部を中心に一端部が屋内側に向けて揺動する。
【００３８】
ガイドピン２０が傾斜ガイド溝２２の端部まで移動して第２ガイド溝６の延長線上に配置されると、図８に示すように、召合わせ側アーム１３ｂのガイドピン２０がスライドピース３７の挿入溝３８内に嵌り込み、第２ガラス障子９は傾斜状態に保持される。
【００３９】
そこで、ガイド孔２３にレバー２４を挿入し、そのレバー２４の先端部を回転部材３２の係合溝３３に挿入して、レバー２４を図８の矢印方向に揺動させると、回転部材３２が回転すると共に、スライドピース３７が図５に示す長孔３５に沿って屋内側に向けて移動し、その移動によって召合わせ側アーム１３ｂはランナ１４に対する連結部を中心に一端部が屋内側に向けて揺動し、第２ガラス障子９の召合わせ側端部が屋内側に引き込まれる。長孔３５の端部にピン３６が当接する位置までスライドピース３７が移動すると、第２ガラス障子９は閉鎖状態とされ、第２ガラス障子９は第１ガラス障子８と同一平面上配置される。
【００４０】
このため、第１ガラス障子８と第２ガラス障子９は前後に段差のない状態とされ、体裁の良好な閉鎖状態を得ることができる。
【図面の簡単な説明】
【００４１】
【図１】この発明に係る屋内側ガラス障子の開閉装置の実施の形態を示す正面図
【図２】図のII−II線に沿った断面図
【図３】図１に示すガラス障子の吊下げ支持部を示す一部切欠正面図
【図４】図３のIV−IV線に沿った断面図
【図５】第２ガラス障子の開閉操作機構部を示す横断平面図
【図６】図５のVI−VI線に沿った断面図
【図７】（Ｉ）は第２ガラス障子の開閉操作機構を示す斜視図、（II）は作動状態を示す斜視図
【図８】図５に示す開閉操作機構の作動状態を示す横断平面図
【図９】図８のIX−IX線に沿った断面図
【符号の説明】
【００４２】
１  窓枠
１ａ  上枠
１ｂ  下枠
２  ガラス板
５  第１ガイド溝
６  第２ガイド溝
７  第３ガイド溝
８  第１ガラス障子
９  第２ガラス障子
１０  ハンガ
１３ａ、１３ｂ  アーム
１４  ランナ
２０  ガイドピン
２２  傾斜ガイド溝
２３  ガイド孔
２４  レバー
３０  開閉操作機構
３２  回転部材
３３  係合溝
３４  運動変換機構
３７  スライドピース
３８  挿入溝
３９  リンク
４０  連結片
【図１】
2006045930.tif 000003
【図２】
2006045930.tif 000004
【図３】
2006045930.tif 000005
【図４】
2006045930.tif 000006
【図５】
2006045930.tif 000007
【図６】
2006045930.tif 000008
【図７】
2006045930.tif 000009
【図８】
2006045930.tif 000010
【図９】
2006045930.tif 000011